(57)【要約】【課題】比較的近傍に載置された紙原稿等を適切にフラッシュ撮影する。【解決手段】デジタルカメラ１０は支持台２０に結合されて、被写体載置用スペースＰに載置された被写体ＯＢをフラッシュ撮影する。デジタルカメラ１０は、支持台２０に取り付けられると、内蔵フラッシュを覆うように設けられた拡散板によってフラッシュ光の配光特性が接写に適したものとなる。また、支持台２０に取り付けられると内蔵フラッシュの制御方法が接写に適した制御方法に自動的に変化する。【選択図】        図１
2004193946.tif 000002
【特許請求の範囲】
【請求項１】
撮像レンズを通して得られる被写体像を光電変換して電子的な画像データを生成するデジタルカメラであって、
撮影時に被写体に照明光を照射するフラッシュと、
比較的に近傍の所定位置に載置された被写体を被写体に対して所定の位置関係を保った状態で撮影を行う書画撮影を行うに際してのフラッシュ撮影に適した第１のフラッシュ制御モードと、比較的に遠方に位置する被写体の撮影を行う非書画撮影を行うに際してのフラッシュ撮影に適した第２のフラッシュ制御モードとが記憶されるフラッシュ制御モード記憶手段と、
前記第１および第２のフラッシュ制御モードから使用するフラッシュ制御モードを決定するフラッシュ制御モード決定手段と、
前記フラッシュ制御モード決定手段によって決定されたフラッシュ制御モードに従って、前記フラッシュを制御するフラッシュ制御手段と、
を備えることを特徴とするデジタルカメラ。
【請求項２】
請求項１に記載のデジタルカメラにおいて、
被写体載置場所の上方に前記デジタルカメラを支持する所定の支持台へ前記デジタルカメラを結合する結合手段と、
前記デジタルカメラを結合する前記支持台へ結合されたことを検知する結合検知手段と、
をさらに備え、
前記結合検知手段が前記支持台への前記デジタルカメラの結合を検知した場合に、前記フラッシュ制御モード決定手段が、使用する発光方法を第１の内蔵フラッシュ制御モードに決定することを特徴とするデジタルカメラ。
【請求項３】
請求項１または請求項２に記載のデジタルカメラにおいて、
前記第１のフラッシュ制御モードは、
撮影に先立って行われるプリ発光によって撮影時の撮影パラメータが決定された第１撮影の後に行われる第２撮影において、
撮影パラメータに影響を与える撮影条件の変化が、第１撮影および第２撮影の間で所定範囲内である場合には、プリ発光を行わず、第１撮影時と同じ撮影パラメータで第２撮影を行うことを特徴とするデジタルカメラ。
【請求項４】
載置された被写体を撮影して電子的な画像データを生成する撮影システムであって、
撮影時に被写体に照明光を照射するフラッシュと、
比較的に近傍の所定位置に載置された被写体を被写体に対して所定の位置関係を保った状態で撮影を行う書画撮影を行うに際してのフラッシュ撮影に適した第１のフラッシュ制御モードと、比較的に遠方に位置する被写体の撮影を行う非書画撮影を行うに際してのフラッシュ撮影に適した第２のフラッシュ制御モードとが記憶されるフラッシュ制御モード記憶手段と、
前記第１および第２のフラッシュ制御モードから使用するフラッシュ制御モードを決定するフラッシュ制御モード決定手段と、
前記フラッシュ制御モード決定手段によって決定されたフラッシュ制御モードに従って、前記フラッシュを制御するフラッシュ制御手段と、
を備えるデジタルカメラと、
前記被写体載置場所の上方に前記デジタルカメラを支持する支持台と、
を備えることを特徴とする撮影システム。
【請求項５】
請求項４に記載の撮影システムであって、
前記支持台は前記内蔵フラッシュの配光特性を変化させる拡散板を備え、
前記拡散板が、前記デジタルカメラが前記支持台に結合されている場合に前記内蔵フラッシュの照明光の出射範囲を覆う位置にくるように設置されていることを特徴とする撮影システム。
【発明の詳細な説明】
【０００１】
【発明の属する技術分野】
本発明は、近傍に載置された被写体を撮影するデジタルカメラおよび該デジタルカメラを利用した撮影システムに関する。
【０００２】
【従来の技術】
この発明の背景となる先行技術文献としては下記のものがある。
【０００３】
【特許文献１】
特開２００１−７８０７４号公報
【特許文献２】
特開平７−４９５２９号公報
【特許文献３】
特開平１１−１０９４５９号公報
【特許文献４】
特開平１１−１７４５７８号公報
【０００４】
近傍に載置された紙原稿等をデジタルカメラで撮影して得られた電子的な画像データを様々な用途に利用することが一般的に行われている。たとえば、該画像データを加工した後に記憶装置に記憶させてドキュメントの電子ファイリングを行ったり、該画像データをプリンタで別の紙に印刷して複写物を得たり、該画像データをプロジェクタでスクリーンに投影してプレゼンテーションを行ったり等が行われている。特に、特開２００１−７８０７４号公報（特許文献１）には、デジタルカメラを文書などの画像入力装置として使用する技術が開示されている。
【０００５】
【発明が解決しようとする課題】
デジタルカメラをこの用途に使用する場合、載置された被写体の上方にデジタルカメラを支持可能な支持台にデジタルカメラを結合することによって撮影システムを構成して、撮影を行うことが一般的である。
【０００６】
ここで、このような撮影は室内で行われることが多いため、暗い撮影環境でも撮影を可能とするために、被写体に照明光を照射する手段が必要となる。しかし、デジタルカメラに内蔵されている内蔵フラッシュで、近傍に載置された紙原稿等に照明光を照射してフラッシュ撮影を行うと、被写体の一部分にフラッシュ光が写りこんで露出オーバーとなったり、逆に被写体の周辺部分が露出不足となったりすることが多い。これは、従来のデジタルカメラが、比較的遠方に位置する被写体を小出力のフラッシュで効率よく照明できるように、画角の中心付近を特に照明するような配光特性の内蔵フラッシュを備えていることに起因している。
【０００７】
一方、内蔵フラッシュを使用するかわりに、デジタルカメラに外部フラッシュを装着してフラッシュ撮影を行うことも考えられる。しかし、外部フラッシュを装着してフラッシュ撮影を行う場合、撮影システムが大掛かりで可搬性に乏しいものとなる。特に、撮影システムをプロジェクタ等と組み合わせてプレゼンテーションに使用する場合、可搬性の低下の影響は大きい。
【０００８】
さらに、特開平７−４９５２９（特許文献２）のようにレンズの周囲に外部フラッシュを装着可能とするためには、デジタルカメラ側にもそのための構成上の配慮が必要となってくるため、デジタルカメラ自身が大きく高価になってしまう。この場合、デジタルカメラを支持台から分離して比較的遠方に位置する被写体を撮影する通常のデジタルカメラとして使用する場合の携帯性をも著しく損なうことになる。
【０００９】
本発明はこれらの問題点を解決するためになされたもので、比較的近傍に載置された紙原稿等をフラッシュ撮影するのに適するとともに、支持台から取り外して比較的遠方に位置する被写体を撮影することも可能なデジタルカメラおよび該デジタルカメラを使用した撮影システムを提供することを目的とする。
【００１０】
【課題を解決するための手段】
上記の課題を解決するため、請求項１の発明は、撮像レンズを通して得られる被写体像を光電変換して電子的な画像データを生成するデジタルカメラであって、撮影時に被写体に照明光を照射するフラッシュと、比較的に近傍の所定位置に載置された被写体を被写体に対して所定の位置関係を保った状態で撮影を行う書画撮影を行うに際してのフラッシュ撮影に適した第１のフラッシュ制御モードと、比較的に遠方に位置する被写体の撮影を行う非書画撮影を行うに際してのフラッシュ撮影に適した第２のフラッシュ制御モードとが記憶されるフラッシュ制御モード記憶手段と、前記第１および第２のフラッシュ制御モードから使用するフラッシュ制御モードを決定するフラッシュ制御モード決定手段と、前記フラッシュ制御モード決定手段によって決定されたフラッシュ制御モードに従って、前記フラッシュを制御するフラッシュ制御手段とを備える。
【００１１】
また、請求項２の発明は、請求項１の発明に係るデジタルカメラにおいて、
被写体載置場所の上方に前記デジタルカメラを支持する所定の支持台へ前記デジタルカメラを結合する結合手段と、前記デジタルカメラを結合する前記支持台へ結合されたことを検知する結合検知手段とをさらに備え、前記結合検知手段が前記支持台への前記デジタルカメラの結合を検知した場合に、前記フラッシュ制御モード決定手段が、使用する発光方法を第１の内蔵フラッシュ制御モードに決定する。
【００１２】
また、請求項３の発明は、請求項１または請求項２の発明に係るデジタルカメラにおいて、前記第１のフラッシュ制御モードは、撮影に先立って行われるプリ発光によって撮影時の撮影パラメータが決定された第１撮影の後に行われる第２撮影において、撮影パラメータに影響を与える撮影条件の変化が、第１撮影および第２撮影の間で所定範囲内である場合には、プリ発光を行わず、第１撮影時と同じ撮影パラメータで第２撮影を行う。
【００１３】
また、請求項４の発明は、載置された被写体を撮影して電子的な画像データを生成する撮影システムであって、撮影時に被写体に照明光を照射するフラッシュと、比較的に近傍の所定位置に載置された被写体を被写体に対して所定の位置関係を保った状態で撮影を行う書画撮影を行うに際してのフラッシュ撮影に適した第１のフラッシュ制御モードと、比較的に遠方に位置する被写体の撮影を行う非書画撮影を行うに際してのフラッシュ撮影に適した第２のフラッシュ制御モードとが記憶されるフラッシュ制御モード記憶手段と、前記第１および第２のフラッシュ制御モードから使用するフラッシュ制御モードを決定するフラッシュ制御モード決定手段と、前記フラッシュ制御モード決定手段によって決定されたフラッシュ制御モードに従って、前記フラッシュを制御するフラッシュ制御手段とを備えるデジタルカメラと、前記被写体載置場所の上方に前記デジタルカメラを支持する支持台とを備える。
【００１４】
また、請求項５の発明は、請求項４の発明に係る撮影システムであって、前記支持台は前記内蔵フラッシュの配光特性を変化させる拡散板を備え、前記拡散板が、前記デジタルカメラが前記支持台に結合されている場合に前記内蔵フラッシュの照明光の出射範囲を覆う位置にくるように設置されている。
【００１５】
【発明の実施の形態】
以下、本発明の実施形態を図面に基づいて説明する。
【００１６】
＜撮影システムの全体構成＞
図１は、本実施形態に係る撮影システム１の全体構成を示す図である。
【００１７】
撮影システム１は、書画（ドキュメント）や小物品などの被写体を被写体載置用スペースＰに載置し、当該被写体載置用スペースＰの上方の比較的近距離から、当該被写体を撮影するダウンフェース撮影用の近接撮影システムである。また、撮影システム１は、被写体載置用スペースＰに載置された紙原稿等の被写体ＯＢを一定の距離を保ちながら撮影して、電子的な画像データを生成可能なように構成される。撮影システム１は、後述するインターフェースに電気的に接続されたパーソナルコンピュータやプリンタやプロジェクタ等に生成した画像データを出力可能である。
【００１８】
撮影システム１は、被写体ＯＢの像を光電変換して電子的な画像データを生成するデジタルカメラ１０と、デジタルカメラ１０を被写体ＯＢから一定距離だけ上方に離れた位置に支持する支持台２０とを備える。デジタルカメラ１０は、図５に示すように、支持台２０から分離可能であり、分離された場合は、比較的に遠方に位置する被写体の撮影も可能な通常のデジタルカメラとして使用可能である。支持台２０は、被写体載置用スペースＰの辺縁に沿って伸びた接地脚を持つ、ダウンフェース撮影用のカメラ支持スタンドである。
【００１９】
以下では、撮影システム１を構成するデジタルカメラ１０および支持台２０の構成をまず別々に説明する。その後に、撮影システム１としての全体動作を説明する。
【００２０】
＜デジタルカメラの構成＞
図２および図３は、本実施形態に係るデジタルカメラ１０の外観構成を示す図である。図２はデジタルカメラ１０をその前面側からみた斜視図であり、図３はデジタルカメラ１０をその背面側からみた斜視図である。
【００２１】
図２に示すように、デジタルカメラ１０の前面側には、被写体像を取得するための撮影レンズ１０１が設けられている。
【００２２】
さらに、デジタルカメラ１０の前面側には、撮影時に被写体に照明光を照射する内蔵フラッシュ１０９が設けられている。内蔵フラッシュ１０９は、デジタルカメラ１０の筐体内に設けられて、デジタルカメラ１０と一体化されている。また、内蔵フラッシュ１０９は、フレネルレンズを備えるパネル１０９ａを備えており、比較的遠方に位置する被写体を小出力のキセノン管で効率よく照明できるように、画角の中心付近を特に照明するような配光特性を有する。これにより、デジタルカメラ１０を支持台２０から分離して使用する場合には、比較的遠方に位置する被写体を良好にフラッシュ撮影可能である。
【００２３】
さらに、デジタルカメラ１０は光学ファインダを備えており、デジタルカメラ１０の前面には、光学ファインダのファインダ対物窓１５１が設けられている。
【００２４】
また、デジタルカメラ１０の上面側には電源スイッチ１５２とシャッタボタン１５３とが設けられている。電源スイッチ１５２は、電源のオン状態とオフ状態とを切り替えるためのスイッチである。この電源スイッチ１５２を１回押下するたびに、オン状態とオフ状態とが順次に切り替わっていく。シャッタボタン１５３は、銀塩カメラで広く採用されているように、半押し状態（以後、Ｓ１状態と略記する）と全押し状態（以後、Ｓ２状態と略記する）とが検出可能な２段階スイッチになっている。このシャッタボタン１５３の押下によって被写体に関する画像を取得できる。
【００２５】
また、デジタルカメラ１０の側面には、インターフェース１１０が設けられている。インターフェース１１０は、たとえばＵＳＢ規格のインターフェースであり、電気的に接続されたパーソナルコンピュータやプリンタやプロジェクタ等の外部機器へ画像データを出力したり、制御信号を送受信することが可能である。この端子があるために、デジタルカメラ１０は、支持台２０と分離して単独で使用した場合でも、外部機器と接続して使用できる。
【００２６】
また、図２に図示しないデジタルカメラ１０の別の側面には、挿抜自在な記憶媒体であるメモリカード１１３を装着するカードスロットと、デジタルカメラ１０の電源となる電池を内蔵させる電池室が設けられる。カードスロットおよび電池室は、デジタルカメラ１０の筐体表面に設けられたクラムシェルタイプの蓋により開閉自在となっている。
【００２７】
一方、図３に示すように、デジタルカメラ１０の背面側には、撮影画像のモニタ表示や記録画像の再生表示等を行うための液晶モニタ１１２が設けられる。また、デジタルカメラ１０の背面側には、光学ファインダのファインダ接眼窓１５４が設けられる。操作者は、液晶モニタ１１２またはファインダ接眼窓１５４によって被写体を確認しつつ撮影を行う。
【００２８】
さらに、デジタルカメラ１０の背面側には、フラッシュモードボタン１５５が設けられる。このフラッシュモードボタン１５５を１回押下するたびに、内蔵フラッシュの制御モードが、「通常撮影モード」「書画撮影モード」「自動」の順番に循環的に切り替わってゆく。ここで、「通常撮影モード」とは比較的に遠方に位置する被写体のフラッシュ撮影に適した内蔵フラッシュの制御方法であり、「書画撮影モード」とは比較的に近傍の所定位置に載置された被写体のフラッシュ撮影に適した内蔵フラッシュの制御方法である。また、「自動」とは、デジタルカメラ１０と支持台２０との結合状態によって内蔵フラッシュ制御モードが「通常撮影モード」および「書画撮影モード」のいずれかに自動的に決定されることを意味する。
【００２９】
さらに、デジタルカメラ１０の背面側には、メニューボタン１５６が設けられており、撮影モード時にメニューボタン１５６が押下されると、撮影条件を設定するためのメニュー画面が液晶モニタ１１２に表示される。
【００３０】
さらに、デジタルカメラ１０の背面側には、実行ボタン１５７と、液晶モニタ１１２における表示カーソルを４方向に移動させるための十字カーソルボタン１５８Ｕ，１５８Ｄ，１５８Ｒ，１５８Ｌで構成されるコントロールボタン１５８とが設けられる。実行ボタン１５７およびコントロールボタン１５８を用いて各種撮影パラメータの設定操作が行われる。
【００３１】
さらに、デジタルカメラ１０の背面側には、「撮影モード」と「再生モード」との間でデジタルカメラ１０の動作モードを切り替えるモード切り替えバー１５９が設けられる。モード切り替えバー１５９は、２接点のスライドスイッチであり、図３において右にセットすると、デジタルカメラ１０の動作モードは「撮影モード」に設定され、左にセットすると「再生モード」に設定される。動作モードが「撮影モード」に設定されると、ＣＣＤ１０３（後述）に結像している被写体像の画像データが比較的高速に更新されながら液晶モニタ１１２に連続的に表示される（いわゆるライブビュー表示）。また、シャッタボタン１５３の操作によって撮影を行って被写体に関する画像データを生成することが可能となる。一方、動作モードが「再生モード」に設定されると、メモリカード１１３に記録された画像データが読み出されて液晶モニタ１１２に再生表示される。再生表示される画像は、コントロールボタン１５８Ｒおよび１５８Ｌで選択可能である。
【００３２】
また、デジタルカメラ１０の底面には、支持台２０との機械的な結合に用いられる結合部１６０と、支持台２０と結合されたことを検知する結合検知部１１４と、制御信号やデジタルカメラ１０が生成した画像データを送受信するデータ送受信部１１５とが設けられる。
【００３３】
結合部１６０は導電性の金属部材からなる。該金属部材には、底面に垂直な円筒穴が形成されており、円筒穴の内面にねじ溝が切られてめねじとなっている。支持台２０のカメラ結合部２５０に設けられたおねじ２５１（後述）が、このめねじと螺合することによって、デジタルカメラ１０は支持台２０と機械的に結合される。さらに、結合部１６０は、該金属部材がデジタルカメラ１０の内部の電子回路の基準電位点（以後、ＧＮＤと略記する）と電気的に接続されており、デジタルカメラ１０と支持台２０との内部の電子回路のＧＮＤを共通にする役割も兼ねている。結合部１６０は三脚取り付け用の取り付け部として使用できるようにしてもよい。
【００３４】
結合検知部１１４およびデータ送受信部１１５は、デジタルカメラ１０と支持台２０とが機械的に結合されたときに、支持台２０に設けられた信号ピン（後述）との間で電気的な導通が得られるように構成された電気接点を備える。ここで、結合部１６０によってデジタルカメラ１０と支持部２０とのＧＮＤが共通化されているので、結合検知部１１４およびデータ送受信部１１５の電気接点は、それぞれひとつだけで構成することも可能である。
【００３５】
次に、デジタルカメラ１０の機能構成を説明する。図４は、デジタルカメラ１０の機能構成を示すブロック図である。
【００３６】
図４に示すように、デジタルカメラ１０は、被写体像を結像させる撮影レンズ１０１を備える。撮影レンズ１０１は、被写体の合焦状態を変化させるために、フォーカシングレンズが移動可能となっている。また、撮影レンズ１０１は、入射光量を変化させるために、絞りの開口径が調整可能となっている。
【００３７】
レンズ駆動部１０２は、後に詳述する全体制御部１２０から入力される制御信号に従って、フォーカシングレンズの移動および絞りの開口径の調整を行う。
【００３８】
ＣＣＤ１０３は、撮影レンズ１０１の後方適所に設けられる撮像素子である。ＣＣＤ１０３は、撮影レンズ１０１によって結像された被写体像をＲ（赤），Ｇ（緑），Ｂ（青）の各色成分の画像信号（各画素から出力された画素信号の信号列）に変換して出力する。
【００３９】
信号処理部１０４は、ＣＤＳ（相関二重サンプリング）回路およびＡＧＣ（オートゲインコントロール）回路を有し、ＣＣＤ１０３から出力される画像信号に所定の信号処理を施す。具体的には、ＣＤＳ回路により画像信号のノイズ低減が行われ、ＡＧＣ回路により画像信号のレベル調整が行われる。
【００４０】
Ａ／Ｄ変換部１０５は、信号処理部１０４から出力されるアナログの画像信号を１０ビットのデジタル信号に変換する。デジタル信号に変換された画像データは、画像処理部１０６へ出力される。
【００４１】
画像処理部１０６は、Ａ／Ｄ変換部１０５から入力された画像データに、黒レベル補正、ホワイトバランス補正およびγ補正を行う。黒レベル補正は、画像データの黒レベルを所定の基準レベルに補正する。ホワイトバランス補正は、γ補正後の画像データでホワイトバランスがとれるように、画素データのＲ，Ｇ，Ｂの各色成分のレベル変換を行うものである。このレベル変換は、全体制御部１２０から入力されるレベル変換テーブルを用いて行われる。レベル変換テーブルの変換係数は全体制御部１２０により撮影ごとに設定される。γ補正は、画素データの階調を補正するものである。なお、黒レベル補正が行われた画像データは、全体制御部１２０へも出力され、露出制御、オートフォーカス（以後、ＡＦと略記する）制御、フラッシュ制御および上述のレベル変換テーブル設定のための測光演算および測色演算に用いられる。
【００４２】
画像メモリ１０７は、画像処理部１０６で処理が終了した画像データを一時的に記憶するバッファメモリである。画像メモリ１０７は、少なくとも１フレーム分の記憶容量を有する。
【００４３】
撮影モードにおける撮影待機状態においては、ＣＣＤ１０３により所定時間間隔ごとに取得された被写体像の画像データは、信号処理部１０４、Ａ／Ｄ変換部１０５、画像処理部１０６で処理され、画像メモリ１０７に記憶される。画像メモリ１０７に記憶された画像データは、全体制御部１２０によって液晶モニタ１１２に転送されて、視認可能に表示される（ライブビュー表示）。液晶モニタ１１２に表示される画像は、上述の所定時間間隔で更新されるので、操作者は液晶モニタ１１２に表示された画像により被写体を視認することができる。ここで、撮影待機状態とは、シャッタボタン１５３がＳ１状態となる前の状態をいう。
【００４４】
また、再生モードにおいては、全体制御部１２０に接続された、不揮発性メモリを備えるメモリカード１１３から読み出された画像データが、全体制御部１２０で所定の信号処理が施された後に液晶モニタ１１２に転送されて、視認可能に表示される。
【００４５】
続いて、デジタルカメラ１０のその他の機能構成を説明する。
【００４６】
フラッシュ発光回路１０８は、全体制御部１２０の制御信号に基づいて、内蔵フラッシュ１０９にフラッシュ発光のための電力を供給する。これにより、内蔵フラッシュの発光の有無、発光タイミングおよび発光量が制御可能となる。
【００４７】
操作部１１１は、上述したフラッシュモードボタン１５５、メニューボタン１５６、実行ボタン１５７、コントロールボタン１５８、電源スイッチ１５２およびシャッタボタン１５３を包括する。操作者が操作部１１１に所定の操作を行うと、その操作内容は全体制御部１２０に伝達され、デジタルカメラ１０の動作状態に反映される。
【００４８】
結合検知部１１４は、デジタルカメラ１０と支持台２０とが結合された場合に全体制御部１２０へ結合を示す信号を出力する。たとえば、非結合時には電位がＧＮＤレベルとなっており、結合時には電位が電源電圧レベルになるように構成しておく。これは、結合検知部１１４の電気接点をＧＮＤに抵抗でプルダウンしておき、デジタルカメラ１０と支持台２０とが結合されると、該電気接点と支持台２０の信号ピン（結合時に電源電圧レベルとなるように構成しておく）との間に電気的導通が生じるような構造にしておくことによって実現できる。
【００４９】
データ送受信部１１５は、デジタルカメラ１０と支持台２０とが結合された場合に、デジタルカメラ１０の全体制御部１２０と支持台２０の全体制御部２２０との間で所定の通信方式で制御信号および画像データを送受信するために設けられる。これによって、デジタルカメラ１０で撮影して得られた画像データは、後述する支持台２０の全体制御部２２０およびインターフェース２０３を介して、パーソナルコンピュータ、プリンタおよびプロジェクタ等の外部機器ＥＸＴへ出力可能である。また、デジタルカメラ１０は、支持台２０に設けられた操作部２０４によっても操作可能である。
【００５０】
全体制御部１２０は、ＲＡＭ１３０およびＲＯＭ１４０を備えたマイクロコンピュータである。該マイクロコンピュータがＲＯＭ１４０に格納されたプログラム１４１を実行することにより、全体制御部１２０はデジタルカメラ１０の各部を統括的に制御する制御手段として機能する。なお、ＲＯＭ１４０は電気的にデータの書き換えが不可能な不揮発性メモリである。なお、プログラム１４１には、上述した書画撮影モード１４１ａおよび通常撮影モード１４１ｂの両方に対応するサブルーチンが含まれており、実際の撮影時にはいずれかのサブルーチンが使用される。また、ＲＡＭ１３０の記憶領域の一部には、撮影パラメータ記憶部１３１が設けられる。撮影パラメータ記憶部１３１は、撮影に関する制御パラメータが撮影パラメータＣＰとして記憶される（後述）。
【００５１】
図４の全体制御部１２０のブロック内に図示される露出制御部１２１、ＡＦ制御部１２２、フラッシュ制御部１２３、自動ホワイトバランス（以後、ＡＷＢと略記する）制御部１２４および撮影モード決定部１２５は、全体制御部１２０によって実現される機能の一部を機能ブロックとして模式的に示したものである。
【００５２】
露出制御部１２１は、画像データの輝度が適正になるようにプログラム１４１に基づいて露出制御を行う。具体的には、信号処理部１０４において黒レベル補正が終了した画像データを取得して輝度を算出し、この輝度に基づいて適正露出となる絞り値およびシャッタスピードを決定する。続いて、決定された絞り値となるように、レンズ駆動部１０２に制御信号が出力され、撮影レンズ１０１の絞りの開口径が調整される。さらに、決定されたシャッタスピードに相当する露光時間だけ電荷蓄積が行われるように、ＣＣＤ１０３を制御する。
【００５３】
ＡＦ制御部１２２は、被写体像がＣＣＤ１０３の撮像面に結像するようにプログラム１４１に基づいてフォーカス制御を行う。具体的には、レンズ駆動部１０２に制御信号を出力してフォーカシングレンズを移動させながら、信号処理部１０４において黒レベル補正が終了した画像データを取得してコントラストを算出し、コントラストが最も高くなる位置にフォーカシングレンズを移動させる。すなわち、ＡＦ制御部１２２は、コントラスト方式のＡＦ制御を行っている。
【００５４】
フラッシュ制御部１２３は、ライブビュー表示の画像データから輝度を算出して、フラッシュ発光の要否を判定する。また、フラッシュ発光を行う場合は、内蔵フラッシュの発光量が適正になるようにプログラム１４１に基づいてフラッシュ調光制御を行う。具体的には、フラッシュ発光回路１０８に制御信号を出力して、所定のフラッシュ発光量（プリ発光量）でプリ発光を行うとともに、信号処理部１０４において黒レベル補正が終了した画像データを取得して輝度を算出する。さらに、算出された輝度から記憶用の画像データを取得する本撮影時のフラッシュ発光量（本発光量）を決定する。
【００５５】
ＡＷＢ制御部１２４は、画像データのホワイトバランスが適正となるようにプログラム１４１に基づいてホワイトバランス制御を行う。具体的には、信号処理部１０４において黒レベル補正が終了した画像データを取得し色温度を算出して、画像処理部１０６のホワイトバランス補正で使用されるレベル変換テーブルを決定して、画像処理部１０６へ出力する。
【００５６】
なお、撮影時に使用される露出制御値、ＡＦ制御値、フラッシュ制御値およびＡＷＢ制御値は、撮影パラメータＣＰとして、撮影パラメータ記憶部１３１に記憶可能である。
【００５７】
撮影モード決定部１２５は、操作部１１１のフラッシュモードボタン１５５および結合検知部１１４の検知結果に基づいて、「書画撮影モード」および「通常撮影モード」のいずれを使用するのかを決定する。撮影モードが決定されると、実際の撮影時には、プログラム１４１に含まれる対応するサブルーチンを用いて撮影が行われることになる。
【００５８】
＜支持台の構成＞
図５は本実施形態に係る支持台２０の外観構成を示す斜視図である。
【００５９】
図５に示すように、支持台２０は、デジタルカメラ１０の結合場所となるカメラ支持部２５０を備える。カメラ支持部２５０は、伸縮可能な支柱２６０と接続され、被写体載置用スペースＰから一定距離だけ上方に離れた位置に支持されている。また、支柱２６０は、被写体載置用スペースＰと同一平面内（以後、被写体載置面と略記する）に載置されているＬ型の台座２７０と、被写体載置面との角度を可変可能に接続されている。
【００６０】
次に、カメラ支持部２５０の詳細について、図６の斜視図を参照しながら説明する。カメラ支持部２５０は、デジタルカメラ１０の結合部１６０のめねじと螺合可能なおねじがきられた結合ねじ２５１を備える。結合ねじ２５１は、結合部２５２に設けられた貫通穴に挿通されており、結合部２５２に対して回転可能である。このため、結合ねじ２５１においてデジタルカメラ１０との結合端の反対端に設けられたつまみ（図６には図示せず）を回転させることによって、デジタルカメラ１０と支持台２０とを結合可能である。さらに、結合ねじ２５１は導電性の金属部材からなり、支持台２０の内部の電子回路のＧＮＤと電気的に接続されている。このため、上述したように、デジタルカメラ１０および支持台２０の内部の電子回路のＧＮＤは、結合時には共通となる。
【００６１】
さらに、カメラ支持部２５０は、フラッシュ光の散光手段である拡散板（ディフューザー）２５３を備える。拡散板２５３は、デジタルカメラ１０の内蔵フラッシュ１０９の照明光の出射範囲を覆うことのできる形状を有する。また、拡散板２５３は、拡散板支持部２５４によって結合部２５２と接続される。ここで、拡散板支持部２５４の形状は、デジタルカメラ１０と支持台２０との結合時に、パネル１０９ａの直前で拡散板２５３が内蔵フラッシュ１０９の照明光の出射範囲を覆うように決められる。これらの位置関係を図７に示す。図７は、デジタルカメラ１０と支持台２０とを結合した状態をデジタルカメラ１０の前面側からみた状態を模式的に示す正面図である。
【００６２】
拡散板２５３は、デジタルカメラ１０の内蔵フラッシュ１０９のフラッシュ光を散光させる機能を有する。より具体的には、画角の中心付近を特に照明するような配光特性を有するフラッシュ光を散光させて、比較的近傍に載置された紙原稿等をフラッシュ撮影（接写）するのに適した配光特性のフラッシュ光に変換する機能を有する。すなわち、拡散板２５３を設けることによって、デジタルカメラ１０単独でフラッシュ撮影を行う場合よりも、デジタルカメラ１０の画角内のフラッシュ光の照度を略均一化できる。このため、フラッシュ光の正反射光が被写体に写りこむことを防止できる。
【００６３】
さらにカメラ支持部２５０は、結合検知部２０１およびデータ送受信部２０２を備える。結合検知部２０１およびデータ送受信部２０２は、結合部２５２に設けられた穴から突出した信号ピンを備える。該信号ピンは、圧力を印加することによって結合部２５２に設けられた穴へ所定長さ分だけ圧入可能である。また、該信号ピンは、印加している圧力を取り除けば、圧入した長さ分が再度突出して元の形状が復元するように、バネ等を用いて構成されている。また、結合検知部２０１およびデータ送受信部２０２の信号ピンは、それぞれ、デジタルカメラ１０と支持台２０とを結合したときに、デジタルカメラ１０の結合検知部１１４およびデータ送受信部１１５の電気接点と電気的な導通が得られる位置に設けられる。これらの構成によって、デジタルカメラ１０の結合部１６０のめねじとカメラ支持部２５０の結合ねじ２５１との螺合が深くなるにつれて、結合部２５２から突出している信号ピンは、デジタルカメラ１０の電気接点と電気的な導通を維持しながら、結合部２５２に設けられた穴に圧入されてゆくことになる。さらに、結合検知部２０１は、その信号ピンが所定長さだけ圧入されると、デジタルカメラ１０と支持台２０とが結合されたことを示す信号を出力する。たとえば、信号ピンが所定長さだけ圧入されると、内部に設けられたスイッチによって、信号ピンの電位が電源電圧レベルになるように構成しておく。
【００６４】
続いて、支柱２６０について説明する。支柱２６０は、被写体載置面との角度を可変（Ｒ１）可能であり、そのための駆動機構として支柱駆動機構２０７を備える。また、被写体載置面との角度θ１は、支柱角度センサ２１０（図５には図示せず）によって検出可能である。
【００６５】
さらに、支柱２６０は、その長さを変化させるための支柱伸縮機構２０８を備える。また、支柱の長さＬは、支柱長さセンサ２１１（図５には図示せず）によって検出可能である。
【００６６】
さらに、支柱２６０は、支柱２６０の先端部近傍に支柱２６０に垂直な方向を軸として回転可能にカメラ支持部２５０の結合部２５２を回転（Ｒ２）させるカメラ回転機構２０９を備える。カメラ支持部２５０の結合部２５２、拡散板２５３および拡散板支持部２５４は一体化されているので、カメラ回転機構２０９による回転によって、デジタルカメラ１０の内蔵フラッシュ１０９と拡散板２５３との相対的な位置を維持したままで、結合部２５２を回転させることができる。また、カメラ回転機構２０９の角度θ２は、カメラ角度センサ２１２（図５には図示せず）によって検出可能である。
【００６７】
また、支柱２６０は、副照明２０５を備える。副照明２０５は、被写体ＯＢの補助的な照明手段または後述する操作部の照明手段として用いられる。
【００６８】
続いて、台座２７０について説明する。台座２７０には、インターフェース２０３が設けられる。インターフェース２０３は、たとえばＵＳＢ規格のインターフェース、シリアルインターフェースあるいはパラレルインターフェース等を含み、電気的に接続されたパーソナルコンピュータやプリンタやプロジェクタ等の外部機器ＥＸＴ（図５には図示せず）へ画像データを出力したり、制御信号を送受信可能である。
【００６９】
また、台座２７０は、原稿明るさ検出手段２０６を備える。原稿明るさ検出手段２０６は、ホトトランジスタ等の光センサから構成される。原稿明るさ検出手段２０６は、被写体載置用スペースＰからの光を検出して、その輝度に応じた信号を出力する機能を有する。これにより、原稿明るさ検出手段２０６は、被写体載置用スペースＰに被写体ＯＢが載置されたかどうかの検出手段として機能する。
【００７０】
また、台座２７０は、操作部２０４を備える。操作部２０４は、複数のボタン群を備える。デジタルカメラ１０と支持台２０の結合時には、これらのボタンはデジタルカメラ１０に設けられた操作部１１１と同等の機能を有する。このため、結合時には、デジタルカメラ１０に触れることなく、台座２７０の操作部２０５の操作によって、デジタルカメラ１０の撮影および設定操作が可能である。
【００７１】
次に、支持台２０の機能構成を説明する。図８は、支持台２０の機能構成を示すブロック図である。図８に示すように、支持台２０は、支持台２０の各部の動作を統括制御する全体制御部２２０を備える。全体制御部２２０は、ＲＡＭ２３０およびＲＯＭ２４０を備えたマイクロコンピュータである。該マイクロコンピュータがＲＯＭ２４０に格納されたプログラム２４１を実行することにより、全体制御部２２０は支持台２０の各部を統括的に制御する制御手段として機能する。なお、ＲＯＭ２４０は電気的にデータの書き換えが不可能な不揮発性メモリである。また、ＲＡＭ２３０の記憶領域の一部には、撮影条件記憶部２３１が設けられる。撮影条件記憶部２３１は、支柱角度センサ２１０、支柱長さセンサ２１１およびカメラ角度センサ２１２の検出結果等の撮影条件が撮影条件ＣＣ１（θ１，θ２，Ｌ）として記憶される。
【００７２】
結合検知部２０１は、デジタルカメラ１０と支持台２０とが結合された場合に全体制御部２２０およびデジタルカメラ１０の結合検知部１１４へ結合を示す信号を出力する。たとえば、非結合時には電位がＧＮＤレベルとなっており、結合時には電位が電源電圧レベルになるように構成しておく。
【００７３】
データ送受信部２０２は、デジタルカメラ１０と支持台２０とが結合された場合に、デジタルカメラ１０の全体制御部１２０と支持台２０の全体制御部２２０との間で所定の通信方式で制御信号および画像データを送受信するために設けられる。これによって、デジタルカメラ１０で撮影して得られた画像データは、支持台２０の全体制御部２２０およびインターフェース２０３を介してパーソナルコンピュータやプリンタやプロジェクタ等の外部機器ＥＸＴへ出力することも可能である。また、デジタルカメラ１０は、支持台２０に設けられた操作部２０４によっても操作可能である。
【００７４】
支持台２０には操作部２０４が設けられており、操作者が操作した内容は全体制御部２２０へ出力され、支持台２０の動作状態に反映される。また、操作部２０４の操作は、全体制御部２２０および後述するデータ送受信部２０２を介してデジタルカメラ１０の全体制御部１２０にも転送可能である。これにより、上述したように、操作部２０４の操作によって、デジタルカメラ１０の撮影および設定操作も可能である。
【００７５】
副照明２０５は、全体制御部２２０の制御信号に基づいて点灯する。より具体的には、操作者が操作部２０４に対して所定の操作を行うと、全体制御部２２０から副照明２０５を点灯させるための制御信号が出力されて、副照明２０５が点灯する。
【００７６】
原稿明るさ検出手段２０６は、被写体載置用スペースＰからの光を検出して、その輝度に応じた信号を全体制御部２２０へ出力する。
【００７７】
支柱駆動機構２０７、支柱伸縮機構２０８およびカメラ回転機構２０９は、全体制御部２２０から出力される制御信号に基づいて駆動される。これらの制御信号は、操作者が操作部２０４に所定の操作を行った場合に出力される。また、カメラ回転機構２０９は、支柱駆動機構２０７、支柱伸縮機構２０８が駆動された場合でもデジタルカメラ１０の画角が変化しないように自動的に駆動される。このときの駆動量は、全体制御部２２０で算出される。
【００７８】
支柱角度センサ２１０、支柱長さセンサ２１１およびカメラ角度センサ２１２の検出結果は、全体制御部２２０に出力されて、ＲＡＭ２３０に設けられた撮影条件記憶部２３１に保持される。保持された検出結果は、画角が変化しないようにカメラ回転機構２０９を駆動するときの駆動量の算出に用いられる。また、後述するように、撮影条件が変化したかどうかの判定にも用いられる。
【００７９】
＜撮影システムのフラッシュ撮影の動作＞
図９は、撮影システム１のフラッシュ撮影の動作を説明するフローチャートである。また、図１０および図１１は、図９のフローチャートにおける「書画撮影モード」および「通常撮影モード」のサブルーチンを説明するフローチャートである。以下、撮影システム１のフラッシュ撮影動作を図９〜図１１を参照しながら説明する。
【００８０】
デジタルカメラ１０が動作を開始すると、まずステップＳＴ１で、フラッシュモードボタン１５５で設定されているフラッシュモードによって分岐処理が行われる。フラッシュモードが、書画撮影モードに設定されている場合、ステップＳＴ３に移行する。フラッシュモードが自動に設定されている場合、ステップＳＴ２へ移行する。フラッシュモードが通常撮影モードに設定されている場合、ステップＳＴ４へ移行する。ステップＳＴ２では、デジタルカメラ１０が支持台２０と結合されているかどうかによって分岐処理が行われる。結合されている場合、ステップＳＴ３へ移行する。結合されていない場合、ステップＳＴ４へ移行する。ステップＳＴ３は、比較的に近傍の所定位置に載置された被写体のフラッシュ撮影に適した内蔵フラッシュの制御方法を用いたフラッシュ撮影処理に対応するサブルーチンであり、処理終了後はステップＳＴ１へ戻る。また、ステップＳＴ４は、比較的に遠方に位置する被写体のフラッシュ撮影に適した内蔵フラッシュの制御方法を用いたフラッシュ撮影処理に対応するサブルーチンであり、処理終了後はステップＳＴ１へ戻る。
【００８１】
なお、ステップＳＴ１およびＳＴ２の処理は、デジタルカメラ１０の撮影モード決定部１２５によって行われる。
【００８２】
ここで、フラッシュモードが書画撮影モードおよび通常撮影モードである場合は、デジタルカメラ１０と支持台２０との結合状態と関係なく撮影処理方法が決定されたが、書画撮影モードに関わらずデジタルカメラ１０と支持台２０とが結合されていない場合、あるいは通常撮影モードにもかかわらずデジタルカメラ１０と支持台２０とが結合されている場合には液晶モニタ１１２に警告表示を行って、不適切な撮影モードが設定されていることを操作者に認知させることも可能である。
【００８３】
続いて、図１０のフローチャートを参照しながら、書画撮影モードのサブルーチンＳＴ３の詳細を説明する。
【００８４】
まず、ステップＳＴ３１において、シャッタボタン１５３がＳ１状態となったかどうかによって分岐処理が行われる。Ｓ１状態となっていない場合、書画撮影モードのサブルーチンを終了する。Ｓ１状態となっている場合、ステップＳＴ３２へ移行する。
【００８５】
ステップＳＴ３２では、支持台２０の撮影条件記憶部２３１に記憶された前回撮影時の撮影条件ＣＣ１および現在の撮影条件ＣＣ２を、デジタルカメラ１０の全体制御部１２０が、デジタルカメラ１０のデータ送受信部１１５および支持台２０のデータ送受信部２０２を介して取得する。取得された撮影条件ＣＣ１および撮影条件ＣＣ２の差が所定範囲内の場合はステップＳＴ３３へ移行し、所定範囲外の場合および撮影条件ＣＣ１が取得できない場合（すなわち、初回撮影またはデジタルカメラ１０が支持台２０から取り外されている場合等）はステップＳＴ３４へ移行する。ここでいう撮影条件とは、角度θ１、角度θ２および長さＬ等の露出制御、ＡＦ制御、ＡＷＢ制御およびフラッシュ発光量の決定に影響を与える因子を意味する。したがって、原稿明るさ検出手段２０６の検出結果等の他の因子を含めてもよい。また、撮影条件の差が所定範囲内であるとは、撮影条件の差が、露出制御、ＡＦ制御、ＡＷＢ制御およびフラッシュ発光量の決定に影響を与えないほど小さいことを意味する。
【００８６】
ステップＳＴ３３では、撮影記憶部１３１に記憶されている前回撮影時の撮影パラメータＣＰが読み出されて、露出制御、ＡＦ制御、ＡＷＢ制御およびフラッシュ発光量決定が行われて、ステップＳＴ３５へ移行する。なお、このとき、内蔵フラッシュ１０９のプリ発光は行われない。また、露出制御、ＡＦ制御、ＡＷＢ制御およびフラッシュ発光量決定のために新たに画像データを取得して演算処理を行うことはない。
【００８７】
ステップＳＴ３４では、デジタルカメラ１０の全体制御部１２０の露出制御部１２１、ＡＦ制御部１２２、フラッシュ制御部１２３およびＡＷＢ制御部１２４が機能して、内蔵フラッシュ１０９の発光要否が判定され、発光が必要な場合はプリ発光が行われる。さらに、露出制御、ＡＦ制御、ＡＷＢ制御、フラッシュ発光量決定が行われて、ステップＳＴ３５へ移行する。
【００８８】
ステップＳＴ３５では、シャッタボタン１５３がＳ２状態となったかどうかによって分岐処理が行われる。Ｓ２状態となっていない場合、書画撮影モードのサブルーチンを終了する。Ｓ２状態となっている場合、ステップＳＴ３６へ移行する。
【００８９】
ステップＳＴ３６では、決定された露出制御、ＡＦ制御、ＡＷＢ制御およびフラッシュ発光量で本撮影が行われる。本撮影に使用された撮影パラメータが新たな撮影パラメータＣＰとして撮影パラメータ記憶部１３１に記憶されたのちに、書画撮影モードのサブルーチンが終了する。
【００９０】
上述の書画撮影モードにおけるフラッシュ制御および演算シーケンス処理を模式的に示したのが、図１２のシーケンス図である。書画撮影モードのサブルーチンでは、撮影条件の変化が小さい場合には、プリ発光を行わないとともに、露出制御、ＡＦ制御、ＡＷＢ制御およびフラッシュ制御のための制御パラメータの演算およびデジタルカメラ１０の各部の制御を省略して本撮影を行うものである。これは、デジタルカメラ１０を支持台２０に結合して書画撮影を行う場合、デジタルカメラ１０と被写体との相対位置がほとんど変化せず、被写体の光反射率もほとんど変化しない場合が多いため、これらの制御パラメータの演算を省略しても撮影に支障が生じないことによる。
【００９１】
続いて、図１１のフローチャートを参照しながら、通常撮影モードのサブルーチンＳＴ４の詳細を説明する。
【００９２】
まず、ステップＳＴ４１において、シャッタボタン１５３がＳ１状態となったかどうかによって分岐処理が行われる。Ｓ１状態となっていない場合、通常撮影モードのサブルーチンを終了する。Ｓ１状態となっている場合、ステップＳＴ４２へ移行する。
【００９３】
ステップＳＴ４２では、デジタルカメラ１０の全体制御部１２０の露出制御部１２１、ＡＦ制御部１２２、フラッシュ制御部１２３およびＡＷＢ制御部１２４が機能して、内蔵フラッシュ１０９の発光要否が判定され、発光が必要な場合はプリ発光が行われる。さらに、露出制御、ＡＦ制御、ＡＷＢ制御およびフラッシュ発光量決定が行われて、ステップＳＴ４３へ移行する。
【００９４】
ステップＳＴ４３では、シャッタボタン１５３がＳ２状態となったかどうかによって分岐処理が行われる。Ｓ２状態となっていない場合、通常撮影モードのサブルーチンが終了する。Ｓ２状態となっている場合、ステップＳＴ４４へ移行する。
【００９５】
ステップＳＴ３６では、決定された露出制御、ＡＦ制御、ＡＷＢ制御およびフラッシュ発光量で本撮影が行われたのちに、通常撮影モードのサブルーチンを終了する。
【００９６】
上述の通常撮影モードにおけるフラッシュ制御および演算シーケンス処理を模式的に示したのが、図１３のシーケンス図である。通常撮影モードのサブルーチンでは、常にプリ発光を行うとともに、露出制御、ＡＦ制御、ＡＷＢ制御およびフラッシュ制御のための制御パラメータの演算およびデジタルカメラ１０の各部の制御が行われる。このような撮影方法が可能であるために、デジタルカメラ１０は、支持台２０から分離して比較的遠方に位置する被写体を撮影することも可能なデジタルカメラとして利用することも可能になる。
【００９７】
なお、書画撮影モードにおいては、被写体が近傍に位置することが多いので、内蔵フラッシュ１０９のプリ発光量を通常撮影モードより自動的に小さくなるようにしておく。また、デジタルカメラ１０に接写用のマクロ撮影機能を付与して、書画撮影モードになると自動的にマクロ撮影を行うようにすることも望ましい。
【００９８】
以上、本実施形態の撮影システムによれば、拡散板２５３によりフラッシュ１０９の配光特性が変化させられているため、比較的近傍に載置された被写体ＯＢを良好にフラッシュ撮影することが可能である。また、このときにプリ発光および制御パラメータの演算量を削減できるので、撮影時間間隔を小さくすることができる。また、デジタルカメラ１０の消費電力を削減可能である。また、デジタルカメラ１０を支持台２０から分離して単独使用することも可能である。
【００９９】
＜変形例＞
本実施形態では、内蔵フラッシュ１０９の配光特性を変化させる手段として、支持台２０に設けられた拡散板２５３を使用したが、配光特性を変化させる手段はこれに限られない。たとえば、内蔵フラッシュ１０９内部のキセノン管と前面パネル１０９ａの間にレンズ等の光学部材を挿入して、その位置を移動させることによって配光特性を変化させてもよい。この場合、デジタルカメラ１０に、該光学部材を移動させる駆動手段を配光特性変換手段として設け、書画カメラモードとなった場合に比較的近傍に載置された紙原稿等をフラッシュ撮影するのに適した配光特性になるように該光学部材を移動させるように構成する。
【０１００】
◎上述した実施形態には以下の構成を備える発明（１）〜（４）が含まれている。
【０１０１】
（１）  請求項５に記載の撮影システムであって、
前記支持台は、前記デジタルカメラが着脱自在に結合可能であって、かつ前記支持台に対して可動な結合部を備えており、
前記結合部と前記拡散板とが一体化されており、
前記デジタルカメラと前記拡散板との相対的な位置を維持したままで、前記結合部の状態を変化させることを特徴とする撮影システム。
【０１０２】
（１）の発明によれば、デジタルカメラの撮影対象や撮影方向を自在に変化させることができるので、被写体を適切に撮影することが可能になる。
【０１０３】
（２）  請求項４に記載の撮影システムであって、
前記デジタルカメラの前記内蔵フラッシュの配光特性を変化させる配光特性変換手段をさらに備え、
前記支持台と前記デジタルカメラが結合された場合には、前記配光特性変換手段が前記内蔵フラッシュの配光特性を変化させることを特徴とする撮影システム。
【０１０４】
（２）の発明によれば、内蔵フラッシュの配光特性が自動的に適切なものに変化するので、フラッシュ撮影時に露出オーバー等の問題が起こりにくい。
【０１０５】
（３）  （２）に記載の撮影システムであって、
前記配光特性変換手段は、前記内蔵フラッシュ光の照度を前記デジタルカメラの画角内で略均一化することを特徴とする撮影システム。
【０１０６】
（４）  請求項１ないし請求項３に記載のデジタルカメラであって、
前記第２の内蔵フラッシュ制御モードにおいては、撮影パラメータを決定するために撮影に先立って行われるプリ発光量が、前記第１の内蔵フラッシュ制御モードよりも小さいことを特徴とするデジタルカメラ。
【０１０７】
（４）の発明によれば、プリ発光の発光量を小さくできるので、デジタルカメラの消費電力を削減可能である。
【０１０８】
【発明の効果】
請求項１ないし３の発明によれば、比較的近傍に載置された紙原稿等をフラッシュ撮影するのに適するとともに、支持台から取り外して比較的遠方に位置する被写体を撮影することも可能なデジタルカメラを実現することが可能である。
【０１０９】
請求項２または３の発明によれば、適切なフラッシュ撮影方法が自動的に選択されるので、操作性を向上することが可能である。
【０１１０】
請求項３の発明によれば、撮影時間間隔を短くできるとともに、無駄なフラッシュ発光を減らしてデジタルカメラの消費電力を削減することができる。
【０１１１】
請求項５の発明によれば、デジタルカメラの内蔵フラッシュを活用できるので、撮影システムを簡略化することができる。
【図面の簡単な説明】
【図１】撮影システム１の全体構成を示す図である。
【図２】デジタルカメラ１０をその前面側からみた斜視図である。
【図３】デジタルカメラ１０をその背面側からみた斜視図である。
【図４】デジタルカメラ１０の機能構成を示すブロック図である。
【図５】支持台２０の外観構成を示す斜視図である。
【図６】支持台２０のカメラ支持部２５０の詳細を示す斜視図である。
【図７】支持台２０と結合したデジタルカメラ１０を前面側からみた正面図である。
【図８】支持台２０の機能構成を示すブロック図である。
【図９】撮影システム１のフラッシュ撮影の動作を説明するフローチャートである。
【図１０】書画撮影モードのサブルーチンを説明するフローチャートである。
【図１１】通常撮影モードのサブルーチンを説明するフローチャートである。
【図１２】書画撮影モードにおけるフラッシュ制御および演算シーケンス処理を模式的に示すシーケンス図である。
【図１３】通常撮影モードにおけるフラッシュ制御および演算シーケンス処理を模式的に示すシーケンス図である。
【符号の説明】
１  撮影システム
１０  デジタルカメラ
２０  支持台
１０９  内蔵フラッシュ
１１０  インターフェース
１１４  結合検知部
１１５  データ送受信部
１５１  ファインダ対物窓
１５２  電源スイッチ
１５３  シャッタボタン
１５４  ファインダ接眼窓
１５５  フラッシュモードボタン
１５６  メニューボタン
１５７  実行ボタン
１５８  コントロールボタン
１５９  モード切り替えバー
１６０  結合部
２０３  インターフェース
２０４  操作部
２０５  副照明
２０６  原稿明るさ検出手段
２０７  支柱駆動機構
２０８  支柱伸縮機構
２０９  カメラ回転機構
２５０  カメラ支持部
２５１  結合ねじ
２５２  結合部
２５３  拡散板
２５４  拡散板支持部
２６０  支柱
２７０  台座
Ｐ  被写体載置用スペース
ＯＢ  被写体
【図１】
2004193946.tif 000003
【図２】
2004193946.tif 000004
【図３】
2004193946.tif 000005
【図４】
2004193946.tif 000006
【図５】
2004193946.tif 000007
【図６】
2004193946.tif 000008
【図７】
2004193946.tif 000009
【図８】
2004193946.tif 000010
【図９】
2004193946.tif 000011
【図１０】
2004193946.tif 000012
【図１１】
2004193946.tif 000013
【図１２】
2004193946.tif 000014
【図１３】
2004193946.tif 000015